(57)【要約】【課題】人力によるスクリーン除塵作業を安全に行えるとともに汎用性を持たせられる除塵機を提供する。【解決手段】引上げ機構３０は、台車３１と、台車３１に駆動平歯車取付部材３２を介して取り付けられたかつ手動ハンドル３３ａによって回転させられる駆動平歯車３３と、台車３１に従動平歯車・ブレーキ取付部材３４を介して駆動平歯車３３と噛合するように取り付けられた従動平歯車３５と、台車３１に従動平歯車・ブレーキ取付部材３４を介して取り付けられたかつ従動平歯車３５の逆回転を防止するためのロック付ブレーキ３６とを備える。熊手２０のラック棒２２は、従動平歯車３５を介して駆動平歯車３３の駆動力が伝えられるように複数本のラックピン２２ａによって従動平歯車３５が噛み込む構造とされている。【選択図】図１
2020023806.tif 000002
【特許請求の範囲】
【請求項１】
スクリーン除塵作業に使用するための除塵機（１０）であって、
レーキ（２１）および前記レーキが一端部に取り付けられたラック棒（２２）を備えた熊手（２０）と、
前記スクリーン除塵作業を行う際に前記熊手を取り付けるための引上げ機構（３０）とを具備し、
前記引上げ機構が、
ロック付キャスター（３１ａ）が取り付けられた台車（３１）と、
前記台車に第１の取付部材（３２）を介して取り付けられた、かつ、側面に手動ハンドル（３３ａ）が取り付けられた駆動平歯車（３３）と、
前記台車に第２の取付部材（３４）を介して前記駆動平歯車と噛合するように取り付けられた従動平歯車（３５）と、
前記台車に前記第２の取付部材を介して取り付けられた、かつ、前記従動平歯車の逆回転を防止するためのブレーキ機構（３６）とを備え、
前記熊手の前記ラック棒が、複数本のラックピン（２２ａ）によって前記従動平歯車が噛み込む構造とされて前記従動平歯車を介して前記駆動平歯車の駆動力が伝えられるようにされている、
ことを特徴とする、除塵機。
【請求項２】
前記ブレーキ機構が、
前記第２の取付部材に取り付けられたＬ型鋼取付部材（３６ａ）と、
前記Ｌ型鋼取付部材にＬ型鋼回転軸（３６ｃ）を介して回転可能に取り付けられたＬ型鋼部材（３６ｂ）と、
前記Ｌ型鋼部材に取り付けられたブレーキ開放レバー（３６ｄ）と、
一端部が前記Ｌ型鋼部材に固定されるとともに他端部が前記第２の取付部材に固定された鋼製バネ（３６ｅ）と、
前記Ｌ型鋼取付部材に取り付けられた、かつ、前記Ｌ型鋼部材が前記鋼製バネの付勢力によって回転することを規制するための止め金（３６ｆ）とを備える、
ことを特徴とする、請求項１記載の除塵機。
【請求項３】
前記台車に第３の取付部材（３７）を介して取り付けられた、かつ、前記スクリーン除塵作業中に前記熊手が前記引上げ機構から脱落することを防止するための脱落防止カバー（４０）をさらに具備し、
前記脱落防止カバーが、前記熊手の前記ラック棒を取り付けられるとともに前記熊手の引上げ角度の調整もできる構造とされている、
ことを特徴とする、請求項１または２記載の除塵機。
【請求項４】
前記引上げ機構が、前記スクリーン除塵作業中の転倒を防止するための引上げ機構転倒防止手段（３１ｂ，３８，３９）をさらに備えることを特徴とする、請求項１乃至３いずれかに記載の除塵機。
【発明の詳細な説明】
【技術分野】
【０００１】
本発明は、取水口等の規模が比較的小さい箇所での人力によるスクリーン除塵作業に使用するのに好適な除塵機に関する。
【背景技術】
【０００２】
水力発電所の安定した取水量を確保するためには、取水口等のスクリーン（水流と直交する方向に並設された複数のバーとバーの長手方向に並設された複数の板状のスペーサとを備えたバースクリーン）に付着した塵芥を除去する必要がある。
【０００３】
そのため、取水口等の規模が大きな箇所には電動式除塵機を設置しているが、取水口等の規模が比較的小さい箇所には、スクリーン上部が狭隘となり場所が制限されるため大装備となる電動式除塵機を設置できないので、図４に示すような熊手１１０（複数の歯が並設されたレーキ１１１と、一端部にレーキ１１１が取り付けられた操作棒１１２とを備える。）を使って作業員Ａが定期的に人力でスクリーン除塵作業を実施している。
【０００４】
すなわち、作業員Ａは、熊手１１０の操作棒１１２の他端部側を手で持って、図４に破線で示すようにレーキ１１１側をスクリーン１２０から離れた位置へ投げ出し、レーキ１１１側を自重で沈ませつつ水流によってスクリーン１２０の方向に接近させたのちに、操作棒１１２を徐々に引き上げてレーキ１１１をスクリーン１２０の下方側からバーに沿って引き上げていって、スクリーン１２０に堆積している塵芥を掻き揚げている。
【０００５】
しかし、このようなスクリーン除塵作業は、水流による水圧もあり、人力では重労働であるとともに作業効率が悪く、また、危険も伴う。
【０００６】
そこで、下記の特許文献１には、水路中に設けられたスクリーンの上方に懸垂レールを水平に支持し、懸垂レールに沿って水路幅方向に移動可能となるよう走行台枠を設け、姿勢制御用のガイドローラ群をパワーシリンダにより水路方向に揺動し得るように支持し、塵芥掻揚具をガイドローラ群により進退動自在に支持するとともに走行台にワイヤードラムを設け、ワイヤーを塵芥掻揚具の下部に結止することによりワイヤードラムの回転によって塵芥掻揚具が昇降して塵芥を取り除くようにした簡易除塵機が開示されている。
【０００７】
また、本出願人は、下記の特許文献２において、下部ガイドレールに沿って摺動自在な下部移動体と、上部ガイドレールに沿って摺動自在な上部移動体と、連結バーを介して下部移動体に連結され、熊手の棒状体を摺動自在に支持する下部支持体と、水平軸回りに回動自在に上部移動体に連結され、熊手の棒状体を摺動自在に支持する上部支持体と、熊手のレーキを昇降させる電動チェーンブロックと、連結バーに設けられ、可動自在な開閉レバーとを備え、開閉レバーを動かすことにより上部支持体が回動してスクリーンに対する熊手の角度が変わるようにした除塵装置を提案している。
【先行技術文献】
【特許文献】
【０００８】
【特許文献１】特開平１１−９３１４４号公報
【特許文献２】特開２０１７−１０６２１７号公報
【発明の概要】
【発明が解決しようとする課題】
【０００９】
しかしながら、上記の特許文献１に開示された簡易除塵機は、以下に示すような問題がある。
（ａ）スクリーン除塵作業中にワイヤーが塵芥に引っ掛かるとワイヤーの破断につながるおそれがある。
（ｂ）パワーシリンダを要するため設備構造が複雑となる。
（ｃ）ワイヤーの定期的取替えが必要なためメンテナンス費用が高価となる。
（ｄ）現場に常設となるため他の現場で使用できない。
【００１０】
また、上記の特許文献２で提案した除塵装置は、電動チェーンブロックによって熊手のレーキを昇降させるため、各レール支持材の下面に上部ガイドレールと平行に延びるケーブルガイドレールを配設し、ケーブルガイドレールに電動チェーンブロックの電源ケーブルに取り付けられた複数のケーブル滑車を移動自在に配設して電源ケーブルがケーブルガイドレールに沿って移動・伸縮自在となるようにする必要があるという問題がある。
【００１１】
本発明の目的は、人力によるスクリーン除塵作業を安全に行えるとともに汎用性を持たせられる除塵機を提供することにある。
【課題を解決するための手段】
【００１２】
本発明の除塵機は、スクリーン除塵作業に使用するための除塵機（１０）であって、レーキ（２１）および前記レーキが一端部に取り付けられたラック棒（２２）を備えた熊手（２０）と、前記スクリーン除塵作業を行う際に前記熊手を取り付けるための引上げ機構（３０）とを具備し、前記引上げ機構が、ロック付キャスター（３１ａ）が取り付けられた台車（３１）と、前記台車に第１の取付部材（３２）を介して取り付けられた、かつ、側面に手動ハンドル（３３ａ）が取り付けられた駆動平歯車（３３）と、前記台車に第２の取付部材（３４）を介して前記駆動平歯車と噛合するように取り付けられた従動平歯車（３５）と、前記台車に前記第２の取付部材を介して取り付けられた、かつ、前記従動平歯車の逆回転を防止するためのブレーキ機構（３６）とを備え、前記熊手の前記ラック棒が、複数本のラックピン（２２ａ）によって前記従動平歯車が噛み込む構造とされて前記従動平歯車を介して前記駆動平歯車の駆動力が伝えられるようにされていることを特徴とする。
ここで、前記ブレーキ機構が、前記第２の取付部材に取り付けられたＬ型鋼取付部材（３６ａ）と、前記Ｌ型鋼取付部材にＬ型鋼回転軸（３６ｃ）を介して回転可能に取り付けられたＬ型鋼部材（３６ｂ）と、前記Ｌ型鋼部材に取り付けられたブレーキ開放レバー（３６ｄ）と、一端部が前記Ｌ型鋼部材に固定されるとともに他端部が前記第２の取付部材に固定された鋼製バネ（３６ｅ）と、前記Ｌ型鋼取付部材に取り付けられた、かつ、前記Ｌ型鋼部材が前記鋼製バネの付勢力によって回転することを規制するための止め金（３６ｆ）とを備えてもよい。
前記台車に第３の取付部材（３７）を介して取り付けられた、かつ、前記スクリーン除塵作業中に前記熊手が前記引上げ機構から脱落することを防止するための脱落防止カバー（４０）をさらに具備し、前記脱落防止カバーが、前記熊手の前記ラック棒を取り付けられるとともに前記熊手の引上げ角度の調整もできる構造とされていてもよい。
前記引上げ機構が、前記スクリーン除塵作業中の転倒を防止するための引上げ機構転倒防止手段（３１ｂ，３８，３９）をさらに備えてもよい。
【発明の効果】
【００１３】
本発明の除塵機は、以下に示す効果を奏する。
（１）ブレーキ機構による従動平歯車の逆回転防止機能を備えるため、塵芥の重量によって駆動平歯車の手動ハンドルが逆回転することを防げる（人力によるスクリーン除塵作業の安全性）。
（２）熊手の引上げ機構を軽量（５〜３０ｋｇ程度）に構成できるため、他の現場へ持ち運びして使用できる（汎用性）。
（３）引上げ機構を水中に入れないでスクリーン除塵作業ができるとともに、作業終了後には持ち帰って倉庫に保管できるため、延命化が図れる（コスト低減）。
（４）ブレーキ機構を開放することにより熊手を自重降下させられるため、熊手を降下させる労力を削減できる。
（５）構造が簡素化できるとともに、破損箇所を少なくしてメンテナンス費用を低減できる。
【図面の簡単な説明】
【００１４】
【図１】本発明の一実施例による除塵機１０について説明するための右側面側から見た図（ラック棒２２の一部および脱落防止カバー４０は断面で示す。）である。
【図２】図１に示したロック付ブレーキ３６について説明するための除塵機１０の右側面側から見た図である。
【図３】熊手２０を引上げ機構３０に取り付けた状態について説明するための図であり、（ａ）は除塵機１０の正面側から見た図であり、（ｂ）は除塵機１０の背面側から見た図であり、（ｃ）は除塵機１０の右側面側から見た図であり、（ｄ）は除塵機１０の左側面側から見た図である。
【図４】従来の人力によるスクリーン除塵作業について説明するための図である。
【発明を実施するための形態】
【００１５】
上記の目的を、熊手のラック棒に従動平歯車を介して駆動平歯車の駆動力を伝え、ブレーキ機構によってスクリーン除塵作業中の従動平歯車の逆回転を防止することにより実現した。
【実施例１】
【００１６】
以下、本発明の除塵機の実施例について図面を参照して説明する。
本発明の除塵機は、以下の特徴を有する。
（１）熊手の引上げ機構を簡素化するために、人が持ち運びできるサイズの駆動平歯車および従動平歯車との噛み合わせにより、駆動平歯車に取り付けられた手動ハンドルを回せば熊手を引き上げて塵芥を掻き揚げられるようにする。
（２）熊手のラック棒に複数本のラックピンを設けて従動平歯車が噛み込む構造として、従動平歯車を介して駆動平歯車の駆動力をラック棒に伝えられるようにする。
（３）従動平歯車のブレーキ機構を設けて従動平歯車の逆回転を防止するとともに、ブレーキ機構を開放することにより熊手が自重で降下するようにする。
（４）スクリーン除塵作業中に熊手が引上げ機構から脱落することを防止するために、引上げ機構に脱落防止カバーを備えさせて、熊手のラック棒を脱落防止カバーに取り付けられるとともに熊手の引上げ角度の調整もできる構造とする。
（５）引上げ機構は、転倒防止用ワイヤーの片方の端部を壁の転落防止用手摺等に繋ぐことによりスクリーン除塵作業時の転倒を防止するとともに、転倒防止用ワイヤーの片方の端部を転落防止用手摺等から取り外せば人が持ち運びできるようにする。
【００１７】
そのため、本発明の一実施例による除塵機１０は、図１に示すように、熊手２０と、熊手２０の引上げ機構３０とを具備する。
【００１８】
ここで、熊手２０は、複数の歯が並設されたレーキ２１と、一端部にレーキ２１が取り付けられたラック棒２２（鋼製棒）とを備える。
また、引上げ機構３０は、平板状の本体を備えた台車３１と、台車３１の本体の上面に取り付けられた４個の板状の駆動平歯車取付部材３２（右側面側の２個の駆動平歯車取付部材３２のみ図示）と、右側面に手動ハンドル３３ａが取り付けられた駆動平歯車３３（鋼製）と、台車３１の本体の上面に取り付けられた板状の従動平歯車・ブレーキ取付部材３４と、従動平歯車３５（鋼製）と、ロック付ブレーキ３６（鋼製）と、台車３１の本体の上面に取り付けられた板状のカバー取付部材３７と、転倒防止用ワイヤー３８と、転倒防止用ワイヤー３８の片方の端部を壁の転落防止用手摺５０（作業員Ａが安全帯を取り付けて転落を防止するためにスクリーン１２０の水路幅方向（図１の紙面垂直方向）に沿って壁に従来から取り付けられている。）に固定するためのチルホール３９と、熊手２０が引上げ機構３０から外れて脱落することを防止するための脱落防止カバー４０とを具備する。
【００１９】
熊手２０のラック棒２２は、複数本のラックピン２２ａが従動平歯車３５のピッチ間隔の整数倍の間隔でラック棒２２の長手方向に沿って並設されている。
これにより、複数本のラックピン２２ａと従動平歯車３５とは噛合するため、従動平歯車３５を駆動平歯車３３によって図１図示時計回り（以下、「引上げ回り」と称する。）に回転させると、熊手２０を同図図示右斜め上方に引き上げることができる。
【００２０】
引上げ機構３０の台車３１の本体には、スクリーン除塵作業をしていないときに引上げ機構３０を移動させられるとともにスクリーン除塵作業中には引上げ機構３０を移動できないようにするために、ロック付キャスター３１ａが下面の四隅部に取り付けられている。
【００２１】
また、スクリーン除塵作業中の引上げ機構３０の転落を防止するために、台車３１の本体の裏面（図１図示右側の面）の中央部には転倒防止用ワイヤー３８の一端部を取り付けるためのリング状のワイヤー取付金具３１ｂが設けられているとともに、チルホール３９を介して転倒防止用ワイヤー３８の他端部を転落防止用手摺５０に取り付けられるようにされている。
【００２２】
なお、スクリーン除塵作業中に熊手２０をスクリーン１２０（図４参照）の水路幅方向に沿って移動する場合には、ロック付キャスター３１ａをアンロック状態にして台車３１およびチルホール３９を移動させる。このとき、転倒防止用ワイヤー３８の他端部を転落防止用手摺５０の長手方向に沿って滑らせることにより、移動中に引上げ機構３０が誤って転落することを防止できる。
【００２３】
４個の駆動平歯車取付部材３２のうち２個の駆動平歯車取付部材３２は、上端部が連結されるとともに下端部が所定の間隔をもって台車３１の本体の中央部よりも右側面側に立設されている。
また、２個の駆動平歯車取付部材３２のうち残りの２個の駆動平歯車取付部材３２は、上端部が連結されるとともに下端部が所定の間隔をもって台車３１の本体の中央部よりも左側面側に、右側面側の２個の駆動平歯車取付部材３２と互いに対向するように立設されている。
【００２４】
駆動平歯車３３は、一端部が右側面側の２個の駆動平歯車取付部材３２の上端部に回転可能に取り付けられるとともに他端部が左側面側の２個の駆動平歯車取付部材３２の上端部に回転可能に取り付けられた駆動平歯車回転軸（不図示）に取り付けられている。
【００２５】
従動平歯車・ブレーキ取付部材３４は、右側面側の２個の駆動平歯車取付部材３２よりも正面側寄りに台車３１の本体の上面に垂直に立設されている。
【００２６】
従動平歯車３５は、駆動平歯車３３と噛合するように、従動平歯車・ブレーキ取付部材３４の上端部の左側面側に回転可能に取り付けられている。
【００２７】
これにより、作業員Ａは、駆動平歯車３３の手動ハンドル３３ａを手で図１図示反時計回りに回して駆動平歯車３３をこの方向に回転させる（図１の矢印参照）と、従動平歯車３５が引上げ回りに回転して熊手２０を引き上げることができる。
【００２８】
ロック付ブレーキ３６は、従動平歯車３５のブレーキ機構として機能するものであり、図２に示すように、矩形板状のＬ型鋼取付部材３６ａと、Ｌ型鋼部材３６ｂと、Ｌ型鋼回転軸３６ｃと、ブレーキ開放レバー３６ｄと、鋼製バネ３６ｅと、止め金３６ｆとを備える。
【００２９】
Ｌ型鋼取付部材３６ａは、裏面（図２図示右側の面）が従動平歯車・ブレーキ取付部材３４の表面（図２図示左側の面）に取り付けられている。
【００３０】
Ｌ型鋼部材３６ｂは、水平片が垂直片の下端部に従動平歯車・ブレーキ取付部材３４と反対側に垂直に突出するように一体的に取り付けられたＬ字板状とされている。
【００３１】
Ｌ型鋼回転軸３６ｃは、左端部が回転可能にＬ型鋼取付部材３６ａの右側面に取り付けられているとともに、右端部がＬ型鋼部材３６ｂの垂直片の下端部に固定されている。
【００３２】
ブレーキ開放レバー３６ｄは、Ｌ型鋼部材３６ｂの水平片の右側面に立設されている。
【００３３】
鋼製バネ３６ｅは、引張バネであり、一端部がＬ型鋼部材３６ｂの垂直片の上端部に固定されているとともに、他端部が従動平歯車・ブレーキ取付部材３４の右側面に固定されている。
【００３４】
止め金３６ｆは、Ｌ型鋼部材３６ｂが鋼製バネ３６ｅの付勢力によって図２図示時計回り（以下、「付勢回り」と称する。）に回転することを規制するためのものであり、Ｌ型鋼取付部材３６ａの右側面に取り付けられている。
すなわち、Ｌ型鋼部材３６ｂは、鋼製バネ３６ｅの付勢力で付勢回りに回転させられても、Ｌ型鋼部材３６ｂの垂直片が止め金３６ｆに当接して垂直になった状態で静止しそれ以上は回転しないようにされている。
【００３５】
これにより、通常時には、Ｌ型鋼部材３６ｂが鋼製バネ３６ｅによって付勢されて従動平歯車３５と当接した状態となるため、従動平歯車３５が反引上げ回りに回転できないようにされている。
また、Ｌ型鋼部材３６ｂが止め金３６ｆに当接した状態で従動平歯車３５を引上げ回りに回転させると、Ｌ型鋼部材３６ｂが従動平歯車３５によって押されて鋼製バネ３６ｅの付勢力に抗してＬ型鋼回転軸３６ｃを回転中心として反付勢回り（図２図示反時計回り）に回転して従動平歯車３５から離れるため、従動平歯車３５が引上げ回りに回転できるようにされている。
さらに、図２に矢印で示すように、作業員Ａがブレーキ開放レバー３６ｄを手で持って押し下げると、鋼製バネ３６ｅが伸び、Ｌ型鋼部材３６ｂが鋼製バネ３６ｅの付勢力に抗して反付勢回りに回転して、熊手２０の重さで従動平歯車３５が反引上げ回りに回転することにより、熊手２０が自重（レーキ２１の重さ）で降下するようにされている。
【００３６】
カバー取付部材３７は、図１に示すように、従動平歯車・ブレーキ取付部材３４よりも正面側寄りに台車３１の本体の上面に取り付けられている。
また、カバー取付部材３７は、台車３１の本体の左側面側に位置するように取り付けられている。
【００３７】
カバー取付部材３７の上端部には、脱落防止カバー４０を蝶ボルト４１によってカバー取付部材３７の上端部に角度調整可能に取り付けられるようにするために、蝶ボルト４１と螺合するネジ穴が左側面から右側面まで形成されている（図３（ａ）参照）。
【００３８】
脱落防止カバー４０は、図３（ｂ）に示すように裏面に窓が開けられた筒状であるとともに、同図（ｄ）に示すように左側面側に長手方向に沿って並設された２個の蝶番４３で開閉可能に連結された二つ割り構造とされている。
また、脱落防止カバー４０は、同図（ａ），（ｃ）に示すように右側面側に長手方向に沿って並設された２個のパッチン錠４２を開錠すれば開けられるとともに２個のパッチン錠４２を施錠すれば閉じたままにできるようにされている。
【００３９】
次に、除塵機１０の使用方法について説明する。
作業員Ａは、引上げ機構３０を作業位置にセットしたのち、台車３０のロック付キャスター３１ａをロックするとともに、転倒防止用ワイヤー３８の他端部を転落防止用手摺５０に取り付ける。
【００４０】
その後、作業員Ａは、２個のパッチン錠４２を開錠して脱落防止カバー４０を開け、ラックピン２２ａが従動平歯車３５と噛合するように熊手２０のラック棒２２の一部分を脱落防止カバー４０内に入れたのち、脱落防止カバー４０を閉じ２個のパッチン錠４２を施錠して、熊手２０を脱落防止カバー４０に取り付ける。
【００４１】
その後、作業員Ａは、蝶ボルト４１を少し緩めて、熊手２０がスクリーン１２０（図４参照）と略平行になるように角度調整したのち、蝶ボルト４１を強く締めて熊手２０を引上げ機構３０に固定する。
【００４２】
その後、作業員Ａは、ブレーキ開放レバー３６ｄを押し下げてＬ型鋼部材３６ｂを従動平歯車３５から離すことによりロック付ブレーキ３６を開放したのち、レーキ２１がスクリーン１２０の下端部付近までくるように熊手２０を自重で落下させる。
【００４３】
その後、作業員Ａは、ブレーキ開放レバー３６ｄを引き上げてＬ型鋼部材３６ｂを従動平歯車３５と当接させたのち、駆動平歯車３３の手動ハンドル３３ａを回して従動平歯車３５を引上げ回りに回転させて熊手２０を引き上げていくことにより、スクリーン１２０に堆積している塵芥を掻き揚げていく。
このとき、作業員Ａが誤って熊手２０から手を離してもロック付ブレーキ３６によって従動平歯車３５の逆回転を防止できるため、熊手２０の落下を防止できる。
【００４４】
その後、作業員Ａは、この作業位置でのスクリーン除塵作業が終了すると、台車３０のロック付キャスター３１ａのロックを解除したのち、台車３１、転倒防止用ワイヤー３８およびチルホール３９を移動させて、引上げ機構３０を次の作業位置にセットする。
【００４５】
その後、作業員Ａは、同様の手順を繰り返すことにより、スクリーン除塵作業を行う。
【００４６】
スクリーン除塵作業が完了すると、作業員Ａは、２個のパッチン錠４２を開錠して脱落防止カバー４０を開けて熊手２０を脱落防止カバー４０から取り外したのち、脱落防止カバー４０を閉じて２個のパッチン錠４２を施錠する。
【００４７】
その後、作業員Ａは、転倒防止用ワイヤー３８をチルホール３９および転落防止用手摺５０から取り外したのち、熊手２０および引上げ機構３０を持ち運んで、除塵機１０をスクリーン除塵作業場所から撤去する。
【符号の説明】
【００４８】
１０  除塵機
２０  熊手
２１  レーキ
２２ラック棒
２２ａ  ラックピン
３０  引上げ機構
３１  台車
３１ａ  ロック付キャスター
３１ｂ  ワイヤー取付金具
３２  駆動平歯車取付部材
３３  駆動平歯車
３３ａ  手動ハンドル
３４  従動平歯車・ブレーキ取付部材
３５  従動平歯車
３６  ロック付ブレーキ
３６ａ  Ｌ型鋼取付部材
３６ｂ  Ｌ型鋼部材
３６ｃ  Ｌ型鋼回転軸
３６ｄ  ブレーキ開放レバー
３６ｅ  鋼製バネ
３６ｆ  止め金
３７  カバー取付部材
３８  転倒防止用ワイヤー
３９  チルホール
４０  脱落防止カバー
４１  蝶ボルト
４２  パッチン錠
４３  蝶番
５０  転落防止用手摺
１１０  熊手
１１１  レーキ
１１２  操作棒
１２０  スクリーン
Ａ  作業員
【図１】
2020023806.tif 000003
【図２】
2020023806.tif 000004
【図３】
2020023806.tif 000005
【図４】
2020023806.tif 000006